(57)【要約】【課題】  ユーザの好みに応じて画像形成装置のメニューを変更する。【解決手段】  ＣＰＵ１１が、複数の要素を関連付けた部分木からなる木構造を記述した指示文書を取得する。次に、ＣＰＵ１１が、取得された指示文書を解析して木構造を表す構造情報を得る。次に、ユーザインターフェイス部１７が、前記構造情報が表す木構造に従って前記要素を表示し、ユーザからの指示を受け付ける。そして、ＣＰＵ１１が、前記ユーザインターフェイス部１７を介して前記部分木を選択する指示が入力されたときに、選択された部分木のみからなる木構造を記述した指示文書を作成して該指示文書を記憶部１４に記憶させる。【選択図】        図２
2005045719.tif 000002
【特許請求の範囲】
【請求項１】
記憶部と、
複数の要素を関連付けた部分木からなる木構造を記述した指示文書を取得する取得手段と、
取得された指示文書を解析して木構造を表す構造情報を得る解析手段と、
前記構造情報が表す木構造に従って前記要素を表示し、ユーザからの指示を受け付けるユーザインターフェイス手段と、
前記ユーザインターフェイス手段を介して前記部分木を選択する指示が入力されたときに、選択された部分木のみからなる木構造を記述した指示文書を作成して該指示文書を記憶部に記憶させる変更手段と
を有する画像形成装置。
【請求項２】
通信網を介して外部装置と通信を行う通信手段と、
前記指示文書に他の指示文書の格納場所を表すアドレスが書き込まれている場合に、該他の指示文書を前記通信手段を介して該格納場所から取得する外部取得手段と、
を有し、
前記変更手段は、前記外部取得手段により取得された他の指示文書を前記指示文書内の所定の位置に挿入する
ことを特徴とする請求項１に記載の画像形成装置。
【請求項３】
コンピュータ装置を、
複数の要素を関連付けた部分木からなる木構造を記述した指示文書を取得する取得手段と、
取得された指示文書を解析して木構造を表す構造情報を得る解析手段と、
前記構造情報が表す木構造に従って前記要素を表示し、ユーザからの指示を受け付けるユーザインターフェイス手段と、
前記ユーザインターフェイス手段を介して前記部分木を選択する指示が入力されたときに、選択された部分木のみからなる木構造を記述した指示文書を作成して該指示文書を記憶部に記憶させる変更手段
として機能させるためのプログラム。
【発明の詳細な説明】
【技術分野】
【０００１】
本発明は、構造化文書で記述された指示に従って動作する画像形成装置に関する。
【背景技術】
【０００２】
近年、複写機、プリンタ、スキャナなどの機能を兼ね備えた多機能型画像形成装置が供給されている。このような多機能機は、メニューが細分化・階層化されている。多数の機能の中から所望の機能を探す、あるいは、何階層もの階層構造をたどって機能を選択して行くのは、ユーザにとって煩雑な作業である。また、それらの機能の中には、通常ほとんど使用されない機能もある。また、一般に、各機能の使用頻度はユーザによって異なり、業務内容によっても異なる。このように、従来の多機能型画像形成装置は、使い勝手のよいものとは言えなかった。
【０００３】
ところで、電子装置を用いた業務の効率化を図った技術が提案されている（例えば、特許文献１）。特許文献１に記載の技術は、ユーザがコンピュータを用いて行った業務処理の手順に基づいて、ユーザ個々に対応した業務処理モデルを作成する。例えば、データベースを用いて文献を検索した場合に、その文献のどの箇所をどのくらいの時間見ていたかをコンピュータが記憶する。さらに、ユーザがその文献の関連文献を検索した場合には、元の文献の取得先をコンピュータが記憶する。このようにして、ユーザ個々に対応した業務処理モデルが作成される。そして、それ以後の文献検索においては、その業務処理モデルに従ってコンピュータが文献リストをユーザに提示する。このようにして、マニュアル化が困難な非定型業務の効率化を図っている。
【特許文献１】特開２００２−２１５８５７号公報
【発明の開示】
【発明が解決しようとする課題】
【０００４】
しかしながら、特許文献１に記載の技術は、ユーザが行った業務処理の手順を再現することによって業務の効率化を図るものであり、業務のひとつひとつの過程を順次処理していくことには変わりがない。この技術を上述の画像形成装置に適用したとしても、所望の機能にたどり着くまでの指示入力の回数は変わらないから、業務の効率化には結びつかない。
【０００５】
本発明は上述した事情に鑑みてなされたものであり、その目的は、ユーザの好みに応じて画像形成装置のメニューを変更することにある。
【課題を解決するための手段】
【０００６】
上述の課題を解決するために、本発明は、記憶部と、複数の要素を関連付けた部分木からなる木構造を記述した指示文書を取得する取得手段と、取得された指示文書を解析して木構造を表す構造情報を得る解析手段と、前記構造情報が表す木構造に従って前記要素を表示し、ユーザからの指示を受け付けるユーザインターフェイス手段と、前記ユーザインターフェイス手段を介して前記部分木を選択する指示が入力されたときに、選択された部分木のみからなる木構造を記述した指示文書を作成して該指示文書を記憶部に記憶させる変更手段とを有する画像形成装置を提供する。
また、本発明は、コンピュータ装置を、複数の要素を関連付けた部分木からなる木構造を記述した指示文書を取得する取得手段と、取得された指示文書を解析して木構造を表す構造情報を得る解析手段と、前記構造情報が表す木構造に従って前記要素を表示し、ユーザからの指示を受け付けるユーザインターフェイス手段と、前記ユーザインターフェイス手段を介して前記部分木を選択する指示が入力されたときに、選択された部分木のみからなる木構造を記述した指示文書を作成して該指示文書を記憶部に記憶させる変更手段として機能させるためのプログラムを提供する。
【０００７】
本発明によれば、まず、取得手段が、複数の要素を関連付けた部分木からなる木構造を記述した指示文書を取得する。次に、解析手段が、取得された指示文書を解析して木構造を表す構造情報を得る。次に、ユーザインターフェイス手段が、前記構造情報が表す木構造に従って前記要素を表示し、ユーザからの指示を受け付ける。そして、変更手段が、前記ユーザインターフェイス手段を介して前記部分木を選択する指示が入力されたときに、選択された部分木のみからなる木構造を記述した指示文書を作成して該指示文書を記憶部に記憶させる。
【発明の効果】
【０００８】
本発明によれば、ユーザの好みに応じて画像形成装置のメニューを変更することが可能となる。
【発明を実施するための最良の形態】
【０００９】
以下、図面を参照して、本発明の実施の形態について説明する。
（１．構成）
図１は、本発明にかかるシステム全体の構成を示す図である。画像形成装置１は、複写機とスキャナの機能を兼ね備えた多機能機である。画像形成装置１はＬＡＮ（Local Area Network）９を介してファクシミリ装置２と通信可能となっている。ファクシミリ装置２は通信網８に接続されている。ファクシミリ装置２は、通常のファクシミリ機能を備える他に、画像形成装置１から画像データおよび相手先アドレスを受信し、その画像データを相手先アドレス宛で送信することのできる装置である。
【００１０】
図２は、画像形成装置１の構成を示す図である。ＣＰＵ（Central Processing Unit）１１は、ＲＯＭ（Read Only Memory）１２に格納されているプログラムをＲＡＭ（Random Access Memory）１３に展開して実行することにより、画像形成装置１の各部を制御する。記憶部１４は、書き換え可能な不揮発性メモリである。通信ＩＦ（インターフェイス）１５は、ＬＡＮ９に接続されており、ＣＰＵ１１と外部装置とのデータの授受を仲介する（通信手段）。なお、ＣＰＵ１１が実行するプログラムを外部装置（図示省略）に格納しておき、このプログラムを通信網を介して取得し、記憶部１４に格納することとしてもよい。
【００１１】
画像出力部１６は、ＣＰＵ１１による制御の下、画像を印刷する。ＵＩ（ユーザインターフェイス）部１７は、タッチパネルであり、ＣＰＵ１１による制御の下、メニューボタンを配置したメニュー画面を表示する。ユーザがこのメニューボタンに触れることによって、メニューを選択することの指示を入力することが可能となっている（ユーザインターフェイス手段）。画像入力部１８は、スキャナに相当し、ＣＰＵ１１による制御の下、原稿を読み取って画像信号を生成する。
【００１２】
記憶部１４には、指示文書テーブル１４１が格納されている。図３は、指示文書テーブル１４１の例を示す図である。指示文書テーブル１４１には、指示文書の格納場所のアドレスがユーザ名に対応付けて記憶されている。また、ユーザは、作業内容に応じて、複数の指示文書を作成し、任意の格納場所に格納しておくことが可能である。ＣＰＵ１１は、指示文書テーブル１４１の内容をＵＩ部１７に表示して、指示文書を選択することをユーザに促す。ユーザがＵＩ部１７の所望の指示文書の欄に触れると、ＣＰＵ１１は、ユーザが選択した指示文書をその格納場所から取得する（取得手段）。なお、指示文書の格納場所は、通信網を介して通信可能な外部装置（図示省略）であってもよい。
【００１３】
指示文書は、ＸＭＬ（eXtensible Markup Language）で記述されており、開始タグと終了タグに挟まれた文字列がメニューボタンの中に表示される。ＲＯＭ１２には、ＸＭＬ文書の内容を解析するＸＭＬパーサが格納されている。ＣＰＵ１１は、ＸＭＬパーサを用いて指示文書を解析することによってメニュー情報を獲得し（解析手段）、そのメニュー情報に従ってＵＩ部１７にメニュー画面を表示する。なお、指示文書は、ＸＭＬ以外のマークアップ言語、例えばＨＴＭＬ（Hyper Text Markup Langage）等を用いて記述された文書であってもよい。
【００１４】
指示文書は複数の部分木からなる木構造を有しており、各部分木は複数の要素によって構成されている。図４は、標準メニューのメニュー情報が書き込まれた指示文書１０１のメインメニューに相当する部分を示す図である。メインメニューは、「コピー」、「スキャナ」、「ファクシミリ」の３つの要素からなる。図６は、ＵＩ部１７に表示されたメインメニューの例を示す図である。このように、３つの要素が、メニューボタンとしてＵＩ部１７に表示される。図５は指示文書１０１の「コピー」の下位の要素を示す図である。「コピー」の下位には、「カラー印刷」、「片面／両面印刷」、「縮尺をサイズで指定」、「縮尺を倍率で指定」、「用紙サイズ」の５つの要素が存在し、それぞれが部分木の根となっている。後述する木構造の組み換えに際しては、これら５つの部分木を組み換えの単位として組み換えを行うものとする。
【００１５】
ユーザが、例えば、メニューボタン「コピー」に触れると、ＣＰＵ１１は、「コピー」の下位の要素を抽出して、図７に示すように、「カラー印刷ＯＮ／ＯＦＦ」、「片面／両面印刷」、「縮尺をサイズで指定」、「縮尺を倍率で指定」、「用紙サイズ」のメニューボタンをＵＩ部１７に表示させる。これらの要素の下位には、さらに複数の要素が関連付けられており、メニューボタンを選択するとその下位のメニューボタンが表示される仕組みになっている。例えば、Ａ３からＡ４への縮小コピーをする場合には、ユーザは、「コピー」、「縮尺をサイズで指定」、「縮小」、「Ａ３からＡ４へ」の順に、または、「コピー」、「縮尺を倍率で指定」、「縮小」、「７０％」の順にメニューボタンに触れて行く。他の要素についても、同様に最下層まで順次メニューボタンに触れて行くことによって、ユーザは所望の機能を用いたコピーを行うことができる。図１７は、指示文書１０１で記述されたメニューの木構造を示す図である。
【００１６】
指示文書１０１の「ファクシミリ」の下位には、要素が関連付けられておらず、後述するファクシミリ装置２で用いられる指示文書２０１のＵＲＬがタグの中に書き込まれている。
ファクシミリ装置２は、画像形成装置１と同様に、ＣＰＵ、ＲＯＭ、ＲＡＭ、記憶部、通信ＩＦ、ＵＩ部、画像入力部、画像出力部を有している（図示省略）。ファクシミリ装置２のＲＯＭにはＸＭＬパーサが、記憶部にはファクシミリ装置２のメニューを表示するための指示文書２０１が格納されており、ファクシミリ装置２のＣＰＵはＸＭＬパーサを用いて指示文書２０１を解析し、それによって得られたメニュー情報に従ってＵＩ部にメニューを表示する。図８は、指示文書２０１の例を示す図である。
ユーザが画像形成装置１のＵＩ部１７に表示されたメインメニューの「ファクシミリ」を選択した場合には、ＣＰＵ１１は、ＬＡＮ９を介して、このＵＲＬから指示文書２０１を取得する（外部取得手段）。
【００１７】
（２．動作）
上記の構成からなる画像形成装置１の動作について説明する。ここでは、動作の一例として、ユーザがＡ３サイズの原稿をＡ４サイズの用紙に縮小コピーし、縮小コピーされた画像をＡ社技術部のＸ部長宛にファクシミリ装置２で送信する際の動作について説明する。縮尺は倍率で指定するとする。図９は、ＣＰＵ１１が実行する処理を表すフロー図である。
【００１８】
まず、ユーザが画像形成装置１に電源を投入すると、ＣＰＵ１１が画像形成装置１を制御するためのプログラムを実行し、ＵＩ部１７に図１０に示す指示文書選択画面を表示させる（ステップＳ０１）。画面左側には、既に作成済みである個人用の指示文書を選択することをユーザに促す「ユーザ名指定」ボタンが表示されている。画面右側には、指示文書を新規に作成するための「新規作成」ボタン、指示文書を作成せずに標準メニューを使用するための「標準メニュー」ボタンが表示されている。次にＣＰＵ１１は、ＵＩ部１７に入力されたユーザからの指示入力を受け付ける（ステップＳ０２）。ここで、ユーザが「新規作成」を選択したとする。
【００１９】
ＣＰＵ１１は、記憶部１４から標準メニュー用の指示文書１０１を読み出し、ＸＭＬパーサを用いて指示文書１０１の解析を行う（ステップＳ０３）。そして、解析によって得られた木構造に基づいて、ＵＩ部１７にメインメニューの画面を表示させる（ステップＳ０４）。このときＵＩ部１７には、図６に示す画面が表示される。そしてＣＰＵ１１は、ユーザからの指示の履歴を書き込むためのワークファイルである履歴ファイルを生成する。
【００２０】
次に、ＣＰＵ１１は、ユーザがＵＩ部１７に入力したメニュー選択の指示入力を受け付ける。ユーザが画像入力部に原稿を載置し、ＵＩ部１７に表示されている「コピー」のボタンに触れる（ステップＳ０５）。するとＣＰＵ１１は、図７に示すように「コピー」の下位のメニュー画面をＵＩ部１７に表示させる。ＣＰＵ１１は、ユーザが触れたボタンが「スタート」ボタンであるか否かを判定する（ステップＳ０６）。ここでは、ユーザが触れたボタンは「スタート」ボタンではないから（ステップＳ０６：ＮＯ）、ステップＳ０７に進み、外部から指示文書を取得するか否かを判定する。ここで、「コピー」のタグの中には、指示文書のＵＲＬは書き込まれていないから（ステップＳ０７：ＮＯ）、ステップＳ０８に進む。ステップＳ０８では、ＣＰＵ１１は、選択された要素を根とする部分木が組み換え単位であるか否かを判定する。ここで、「コピー」は組み換え単位ではないから（ステップＳ０８：ＮＯ）、ステップＳ０５に戻る。
【００２１】
次に、ユーザは、「用紙サイズ」のボタンに触れる（ステップＳ０５）。するとＣＰＵ１１は、図１１のように、「用紙サイズ」のメニュー画面をＵＩ部１７に表示させる。「用紙サイズ」は「スタート」ではないから（ステップＳ０６：ＮＯ）ステップＳ０７へ進む。「用紙サイズ」のタグには、指示文書のＵＲＬは書き込まれていないから（ステップＳ０７：ＮＯ）、ステップＳ０８へ進む。「用紙サイズ」は、組み換え単位であるから（ステップＳ０８：ＹＥＳ）、ＣＰＵ１１は、「用紙サイズ」が選択されたことを履歴ファイルに書き込み（ステップＳ０９）、ステップＳ０５に戻る。
次に、ユーザは、「Ａ４」のボタンに触れる（ステップＳ０５）。すると、「用紙サイズ」の場合と同様にステップＳ０６、ステップＳ０７を経てステップＳ０８へ進む。「Ａ４」は組み換え単位ではないから（ステップＳ０８：ＮＯ）、ＣＰＵ１１は、ステップＳ０５に戻る。
【００２２】
次に、ユーザは、縮尺を指定するための操作を行う。まず、ユーザが「戻る」のボタンに触れると、ＣＰＵ１１は、図７に示すように「コピー」のメニュー画面をＵＩ部１７に表示させる。次にユーザは「縮尺を倍率で指定」のボタンに触れる（ステップＳ０５）。すると、「用紙サイズ」の場合と同様にステップＳ０６、ステップＳ０７を経てステップＳ０８へ進む。「縮尺を倍率で指定」は組み換え単位であるから（ステップＳ０８：ＹＥＳ）、ＣＰＵ１１は、「縮尺を倍率で指定」が選択されたことを履歴ファイルに書き込み（ステップＳ０９）、ステップＳ０５に戻る。
この後、ユーザは、「縮小」、「７０％」を順次指定し、「スタート」ボタンに触れる（ステップＳ０６：ＹＥＳ）。すると、ＣＰＵ１１は原稿のコピーを行うための指示を装置各部に供給し、これによって原稿のコピーが行われる（ステップＳ１０）。
【００２３】
コピーが完了すると、ＣＰＵ１１は、履歴ファイルの内容に基づいて、指示文書１０１の木構造を組み換える（ステップＳ１１、変更手段）。履歴ファイルには、この時点までにユーザが選択の指示をＵＩ部１７に入力した組み換え単位が順に記録されている。この記録によると、指示内容は、順に、「用紙サイズ」、「縮尺を倍率で指定」である。ＣＰＵ１１は、ユーザが用紙サイズを選択した後、直ちに縮尺を指定できるように木構造を組み換える。すなわち、「用紙サイズ」と「縮尺を倍率で指定」の部分木のみからなる木構造を記述した指示文書を作成する。図１４は、ＣＰＵ１１が履歴ファイルの記録に基づいて作成した指示文書１０２を示す図である。図１８は、指示文書１０２で記述されたメニューの木構造を示す図である。
以上が、縮小コピーに関する動作である。次に、ファクシミリ送信に関する動作について説明する。
【００２４】
ユーザは、７０％に縮小された画像が印刷されたＡ４サイズの用紙を画像入力部に載置し、メニュー画面の「メインメニューに戻る」ボタンに触れる（ステップＳ１２：１）。すると、ＣＰＵ１１は、図６のように、メインメニューの画面をＵＩ部１７に表示させる（ステップＳ０４）。
【００２５】
ユーザは、メインメニューの「ファクシミリ」のボタンに触れる（ステップＳ０５）。。
「ファクシミリ」は「スタート」ではないから（ステップＳ０６：ＮＯ）、ステップＳ０７へ進む。「ファクシミリ」のタグには、指示文書のＵＲＬが書き込まれているから（ステップＳ０７：ＹＥＳ）、ステップＳ２０へ進む。ステップＳ２０では、ＣＰＵ１１は、タグの中に書き込まれているＵＲＬ「http://www.aaa.co.jp/fax001/aaa.xml」から指示文書２０１を取得することを表すリクエストをファクシミリ装置２に送信する。このリクエストを受信したファクシミリ装置２は、指示文書を内包したレスポンスを生成して画像形成装置１に送信する。
【００２６】
画像形成装置１がファクシミリ装置２からのレスポンスを受信すると、ＣＰＵ１１はレスポンスに内包されている指示文書２０１を取得する。そして、図１５に示すように、指示文書２０１を指示文書１０２の「ファクシミリ」の下位に挿入して指示文書１０３を作成する（ステップＳ２１、変更手段）。ＣＰＵ１１は、指示文書１０３を解析して（ステップＳ０３）、図１６のように、ファクシミリ装置２のメニュー画面をＵＩ部１７に表示させる（ステップＳ０４）。そして、ユーザは、「電話帳」のメニューを表示させ、送信先（Ａ社技術部Ｘ部長）のボタンに触れる。そして、「スタート」のボタンに触れると（ステップＳ０６：ＹＥＳ）、ＣＰＵ１１は、画像入力部に原稿の読取を行わせ、画像信号を生成させる（ステップＳ１０）。そして、ＣＰＵ１１は、生成された画像信号と、宛先の電話番号と、画質を表す情報とをファクシミリ装置２に送信する。ファクシミリ装置２は、画像形成装置１から送られた画像信号を、指定された画質で、宛先の電話番号宛に送信する。
【００２７】
そして、ユーザは、ＵＩ部１７のリセットボタンに触れる（ステップＳ１２：２）。すると、ＣＰＵ１１は、指示文書１０３を指示文書テーブル１４１に登録するための画面をＵＩ部１７に表示させる。ユーザは、英数字またはカナ入力によってユーザ名を入力する。するとＣＰＵ１１は、指示文書１０３をユーザ名に対応付けて記憶部１４に格納し、指示文書１０３を指示文書テーブル１４１に登録する（ステップＳ１３）。
【００２８】
これ以降、ユーザは、図１０の画面で「ユーザ名指定」のボタンに触れて指示文書テーブル１４１の内容を画面に表示させ、自分のユーザ名を指定することによって、指示文書１０３に基づいてＵＩ部１７にメニューを表示させることが可能となる。図１９に、上述した操作によって作成された指示文書１０３によりＵＩ部１７に表示されるメニュー画面を示す。
【００２９】
上記の構成により、画像形成装置１がユーザの行った操作の手順に応じて指示文書の内容を書き換えることが可能となる。これによって、多機能機のメニューを使いやすく変更することが可能となる。一般に、画像形成装置１のＵＩ部１７は比較的小さな面積の画面であるから、必要最小限のメニューのみ表示することによって、小さな画面であってもユーザが使いやすいメニューを表示することが可能となる。
また、上述のファクシミリ機能のように、画像形成装置１が有してない機能であっても、それを有する外部装置のメニューを画像形成装置１のＵＩ部１７に表示することができるから、あたかも、画像形成装置１がその機能を有しているような感覚でユーザが操作を行うことができる。
【００３０】
（３．変形例）
以上説明した形態に限らず、本発明は種々の形態で実施可能である。例えば、上述の実施形態を以下のように変形した形態でも実施可能である。
【００３１】
複写機とスキャナの機能を兼ね備えた多機能機以外の装置に適用するように本発明を変形してもよい。例えば、ファクシミリ装置に本発明を適用してもよい。この場合、外部装置（複写機など）に記憶されている指示文書をファクシミリ装置が取得し、外部装置のメニューをファクシミリ装置に表示する。そして、表示されたメニューを用いてユーザが外部装置の機能を選択した場合には、処理を外部装置に行わせるための指示を外部装置に送信する。
【００３２】
また、本発明を以下のように変形してもよい。外部との通信機能を有するコンピュータ装置と画像形成装置とをＬＡＮを介して接続する。画像形成装置で出力した画像信号をＪＰＥＧ方式で圧縮して画像ファイルを生成し、その画像ファイルと送信先のアドレスとをコンピュータ装置に送信する。そして、コンピュータ装置に、その画像ファイルを添付した電子メールを作成させ、そのアドレス宛で送信させる。これによって、画像形成装置で形成された画像を電子メールを用いて送り届けることが可能となる。
【００３３】
各ユーザの指示文書に、ユーザ個人のアドレス帳（電話番号、メールアドレス）の格納場所を書き込んでおいてもよい。このようにすれば、既存のアドレス帳を格納場所から取得して使用することができるから、画像形成装置用に新たにアドレス帳を作成する必要がない。また、このアドレス帳には、相手の所属（会社名、部署名）をアドレスに対応付けて書き込んでおき、画像形成装置のＣＰＵが会社名ごと、部署名ごとにアドレスを分類して木構造を有するアドレス帳を作成するようにしてもよい。
【図面の簡単な説明】
【００３４】
【図１】本発明にかかるシステム全体の構成を示す図である。
【図２】画像形成装置１の構成を示す図である。
【図３】指示文書テーブル１４１を示す図である。
【図４】指示文書１０１を示す図である。
【図５】指示文書１０１を示す図である。
【図６】ＵＩ部１７に表示される画面の例を示す図である。
【図７】ＵＩ部１７に表示される画面の例を示す図である。
【図８】指示文書２０１を示す図である。
【図９】ＣＰＵ１１が実行する処理のフロー図である。
【図１０】ＵＩ部１７に表示される画面の例を示す図である。
【図１１】ＵＩ部１７に表示される画面の例を示す図である。
【図１２】ＵＩ部１７に表示される画面の例を示す図である。
【図１３】ＵＩ部１７に表示される画面の例を示す図である。
【図１４】指示文書１０２を示す図である。
【図１５】指示文書１０３を示す図である。
【図１６】ＵＩ部１７に表示される画面の例を示す図である。
【図１７】指示文書１０１で記述されたメニューの木構造を示す図である。
【図１８】指示文書１０２で記述されたメニューの木構造を示す図である。
【図１９】ＵＩ部１７に表示される画面の例を示す図である。
【符号の説明】
【００３５】
１…画像形成装置、２…クライアント装置、８…通信網、９…ＬＡＮ、１１…ＣＰＵ、１２…ＲＯＭ、１３…ＲＡＭ、１４…記憶部、１５…通信ＩＦ、１６…画像出力部、１７…ＵＩ（ユーザインターフェイス）部、１８…画像入力部。
【図１】
2005045719.tif 000003
【図２】
2005045719.tif 000004
【図３】
2005045719.tif 000005
【図４】
2005045719.tif 000006
【図５】
2005045719.tif 000007
【図６】
2005045719.tif 000008
【図７】
2005045719.tif 000009
【図８】
2005045719.tif 000010
【図９】
2005045719.tif 000011
【図１０】
2005045719.tif 000012
【図１１】
2005045719.tif 000013
【図１２】
2005045719.tif 000014
【図１３】
2005045719.tif 000015
【図１４】
2005045719.tif 000016
【図１５】
2005045719.tif 000017
【図１６】
2005045719.tif 000018
【図１７】
2005045719.tif 000019
【図１８】
2005045719.tif 000020
【図１９】
2005045719.tif 000021